(57)【要約】【課題】所定枚数毎に仕切る合紙が挟まれた紙葉類又は連続番号が付与された有価証券や宝くじ等の紙葉類を所定枚数に仕分ける紙葉類仕分装置及びその方法を提供する。【解決手段】連続番号を付与したり、又は指定枚数毎に合紙を挟み込んで縦積みした紙葉を所定枚数毎に仕分ける紙葉類仕分装置１０が、上下動可能な固定又は逆転ローラ２１ａと送出搬送部２２とからなり、固定又は逆転ローラ２１ａと送出搬送部との隙間を送出口とし紙葉を送出する仕分部２０と、仕分部から送出される紙葉を排出する排出搬送部３０と、排出搬送部の搬送過程で紙葉の仕分け位置である連続番号又は合紙を検知する光学的検出部４０と、固定又は逆転ローラ２１ａを上下方向に制御して送出口の開口幅を調整する仕分制御部５０とを備え、光学的検出部が、排出搬送部を搬送する紙葉の仕分け位置を検知して停止信号を出力し、停止信号に基づいて仕分部と排出搬送部とを停止する。【選択図】図１
2008114968.tif 000002
【特許請求の範囲】
【請求項１】
連続番号を付与したり、若しくは指定枚数毎に合紙を挟み込んで縦積みした紙葉を所定枚数毎に仕分ける紙葉類仕分装置であって、
前記紙葉類仕分装置が、上下動可能な固定又は逆転ローラと送出搬送部とからなり、該固定又は逆転ローラと該送出搬送部との隙間を送出口とし前記集積した紙葉を送出する仕分手段と、
前記送出口から送り出される前記紙葉を所定枚数集積して排出する排出搬送手段と、
前記排出搬送手段による搬送過程で前記紙葉の仕分け位置である前記連続番号又は合紙を検知する光学的検出手段と、
前記固定又は逆転ローラを上下方向に制御して前記送出口の開口幅を制御し、前記紙葉が送出される枚数を調整する制御手段とを備え、
前記光学的検出手段が前記排出搬送手段を搬送する紙葉の仕分け位置を検知して停止信号を出力し、該停止信号に基づいて前記仕分手段と前記排出搬送手段とを停止して紙葉を所定枚数毎に仕分けることを特徴とする紙葉類仕分装置。
【請求項２】
前記仕分手段が、前記固定又は逆転ローラと、搬送ベルトによる前記送出搬送部と、集積した紙葉の最下部の紙葉が該送出搬送部に接触して載置される載置部とを備え、該固定ローラを上下動させることによって、前記送出口の開口幅を調整し該載置部に段積して載置した前記紙葉を段差状に送り出した後、徐々に漸減して一枚ずつ送出することを特徴とする請求項１に記載の紙葉類仕分装置。
【請求項３】
前記排出搬送手段から送出される紙葉を所定枚数集積し、前記光学的検出手段による検出信号に基づいて、次工程へと搬送する集積搬送部を備えていることを特徴とする請求項１又は２に記載の紙葉類仕分装置。
【請求項４】
連続番号を付与したり、又は指定枚数毎に合紙を挟み込んで縦積みした紙葉を所定枚数毎に仕分ける紙葉類仕分方法であって、
前記縦積みした紙葉を仕分手段から排出搬送手段に送出する際、該仕分手段の送出口から紙葉を段差状に搬送した後、該送出口の幅を狭めて該排出搬送手段に紙葉を一枚ずつ送出し、その排出搬送過程で光学的検出手段によって、紙葉の連続番号又は紙葉間に挟まれた合紙を検出して停止信号を出力し、該停止信号に基づいて前記仕分手段と前記排出搬送手段とを停止して紙葉類を所定枚数に仕分けることを特徴とする紙葉類仕分方法。
【請求項５】
前記仕分手段が、固定又は逆転ローラと搬送ベルトによる送出搬送部と載置部とからなり、該固定ローラと該送出搬送部との隙間を送出口とし、該固定又は逆転ローラを上下方向に昇降させることによって、該送出口の開口幅を調整して紙葉を段差状に送出したり、或いは一枚ずつ送出するようにしたことを特徴とする請求項４に記載の紙葉類仕分方法。
【発明の詳細な説明】
【技術分野】
【０００１】
本発明は、連続番号が付与された有価証券や宝くじ等の紙葉又は所定枚数毎に仕切る合紙が挟まれた紙葉類を所定枚数毎に高速に仕分けることができる紙葉類仕分装置及びその方法に関する。
【背景技術】
【０００２】
従来、紙葉を一枚ずつ分離する紙葉分離装置には、図６（ａ）〜（ｃ）に示すように、互いに対向する下側ローラ２と上側ローラ３とを用い、下側ローラ２の回転方向に対し上側ローラ３の回転を逆回転させることによって、上側ローラ３と下側ローラ２間に挟まれた二枚の紙葉１ａ，１ｂの内、上側ローラ３の逆回転トルクにより上側紙葉１ｂの搬送を阻止し、下側ローラ２の回転トルクにより下側紙葉１ａのみを確実に搬送するようにした分離方法がある（例えば、特許文献１参照）。
【０００３】
また、図７は従来の有価証券の取出装置であり、この装置では有価証券Ｐを施封帯Ｋで束ねた施封束Ｈを投入口から搬送部４に投入してリフタ５で上昇させて搬送部６へと送って、施封束から１部ずつ切り出して整位部７に送り、整位部７にて施封帯を切り取り除いて、排出部へと送出してバラの有価証券Ｐの厚さを検出部８で検査し、集積部を経て取出部９から一枚ずつ送出している（例えば、特許文献２参照）。
【０００４】
【特許文献１】特開２０００−２６４４８９号公報
【特許文献２】特開２００３−１０９０６６号公報
【発明の開示】
【発明が解決しようとする課題】
【０００５】
上記従来例では紙葉を１枚ずつ搬送したり、束ねられた紙葉等から１枚ずつ切り出して搬送する装置であって、装置に送り込まれる紙葉類が、所定枚数毎に仕切る合紙が挟まれた紙葉類又は連続番号が付与された有価証券や宝くじ等の紙葉類を縦積みした状態で所定枚数毎に仕分けして搬送可能な紙葉類仕分装置ではなく、また、所定枚数を束ねた紙葉類を搬送する機能を有する装置でもない。これらの装置は紙葉類を１枚ずつ搬送する装置であり、このような方法の仕分装置では紙葉を１枚ずつ送出し所定枚数を集積して束ねることになるが、仕分処理に時間を要し好ましいものではないし、また、所定枚数毎に仕切る合紙が挟まれた紙葉類又は連続番号が付与された有価証券や宝くじ等の紙葉類を所定枚数毎に仕分ける場合、合紙や連続番号を検出することができず、従来の仕分装置では縦積みした紙葉類を所定枚数毎に仕分けるのが困難であった。
【０００６】
本発明は、上述のような課題に鑑みなされたものであって、所定枚数毎に仕切る合紙が挟まれた紙葉類又は連続番号が付与された有価証券や宝くじ等の紙葉類を所定枚数に仕分ける紙葉類仕分装置及びその方法を提供することを目的とする。
【課題を解決するための手段】
【０００７】
本発明は、上記課題を達成したものであり、請求項１の発明は、連続番号を付与したり、又は指定枚数毎に合紙を挟み込んで縦積みした紙葉を所定枚数毎に仕分ける紙葉類仕分装置であって、
前記紙葉類仕分装置が、上下動可能な固定ローラと送出搬送部とからなり、該固定ローラと該送出搬送部との隙間を送出口とし前記集積した紙葉を送出する仕分手段と、
前記送出口から送り出される前記紙葉を所定枚数集積して排出する排出搬送手段と、
前記排出搬送手段による搬送過程で前記紙葉の仕分け位置である前記連続番号又は合紙を検知する光学的検出手段と、
前記固定ローラを上下方向に制御して前記送出口の開口幅を制御し、前記紙葉が同時に送出される枚数を調整する制御手段とを備え、
前記光学的検出手段が、前記排出搬送手段を搬送する紙葉の仕分け位置を検知して停止信号を出力し、該停止信号に基づいて前記仕分手段と前記排出搬送手段とを停止して紙葉を所定枚数毎に仕分けることを特徴とする紙葉類仕分装置である。
【０００８】
また、請求項２の発明は、前記仕分手段が、前記固定ローラと、搬送ベルトによる前記送出搬送部と、集積した紙葉の最下部の紙葉が該送出搬送部に接触して載置される載置部とを備え、該固定ローラを上下動させることによって、前記送出口の開口幅を調整し該載置部に段積して載置した前記紙葉を段差状に送り出した後、徐々に漸減して一枚ずつ送出することを特徴とする請求項１に記載の紙葉類仕分装置である。
【０００９】
また、請求項３の発明は、前記排出搬送手段から送出される紙葉を所定枚数集積し、前記光学的検出手段による検出信号に基づいて、次工程へと搬送する集積搬送部を備えていることを特徴とする請求項１又は２に記載の紙葉類仕分装置である。
【００１０】
また、請求項４の発明は、連続番号を付与したり、又は指定枚数毎に合紙を挟み込んで縦積みした紙葉を所定枚数毎に仕分ける紙葉類仕分方法であって、
前記縦積みした紙葉を仕分手段から排出搬送手段に送出する際、該仕分手段の送出口から紙葉を段差状に搬送した後、該送出口の幅を狭めて該排出搬送手段に紙葉を一枚ずつ送出し、その排出搬送過程で光学的検出手段によって、紙葉の連続番号又は紙葉間に挟まれた合紙を検出して停止信号を出力し、該停止信号に基づいて前記仕分手段と前記排出搬送手段とを停止して紙葉類を所定枚数に仕分けることを特徴とする紙葉類仕分方法である。
【００１１】
また、請求項５の発明は、前記仕分手段が、固定ローラと搬送ベルトによる前記送出搬送部と載置部とからなり、該固定ローラと該送出搬送部との隙間を送出口とし、該固定ローラを上下方向に昇降させることによって、該送出口の開口幅を調整して紙葉を段差状に送出したり、或いは一枚ずつ送出するようにしたことを特徴とする請求項４に記載の紙葉類仕分方法である。
【発明の効果】
【００１２】
請求項１の発明では、連続番号を付与又は指定枚数毎に合紙を挟み込んで縦積みした紙葉を所定枚数毎に仕分ける紙葉類仕分装置であって、
前記紙葉類仕分装置が、上下動可能な固定ローラと送出搬送部とからなり、該固定ローラと該送出搬送部との隙間を送出口とし前記集積した紙葉を送出する仕分手段と、
前記送出口から送り出される前記紙葉を所定枚数集積して排出する排出搬送手段と、
前記排出搬送手段による搬送過程で前記紙葉の仕分け位置である前記連続番号又はマークを検知する光学的検出手段と、
前記固定ローラを上下方向に制御して前記送出口の開口幅を制御し、前記紙葉が送出される枚数を調整する制御手段とを備え、
前記光学的検出手段が、前記排出搬送手段を搬送する紙葉の仕分け位置を検知して停止信号を出力し、該停止信号に基づいて前記仕分手段と前記排出搬送手段とを停止して紙葉を所定枚数毎に仕分けることを特徴とする紙葉類仕分装置であるので、仕分手段の送出口の縦方向の開口幅を調整して紙葉を段差状に送出したり、或いは一枚ずつ送出したりすることが可能であり、縦積みした紙葉を所定枚数毎に仕分ける際、送出口から紙葉を段差状に搬送することによって、単位時間当たりの送出枚数を増やすことが可能であり、また、仕分け位置近傍では紙葉を一枚ずつ送出して光学的検出手段による仕分け位置（連続番号或いは合紙）の検出を容易なものとすることができ、縦積みした紙葉を所定枚数毎に高速に仕分けることができるし、確実に所定枚数に仕分けすることができる利点がある。また、本発明では、紙葉の仕分け位置が連続番号或いは合紙の何れの場合であっても光学的検出手段によって容易に検出することができる。
【００１３】
また、請求項２の発明では、前記仕分手段が、前記固定ローラと搬送ベルトによる前記送出搬送部と、集積した紙葉の最下部の紙葉が該送出搬送部に接触して載置される載置部とを備え、該固定ローラを上下動させることによって、前記送出口の開口幅を調整し該載置部に段積して載置した前記紙葉を段差状に送り出した後、一枚ずつ送出することを特徴とする請求項１に記載の紙葉類仕分装置であるので、固定ローラと送出搬送部との隙間を固定ローラを上下動して調整すれば、紙葉の厚さに応じた隙間に調整することができ、種々の厚さの紙葉に対応することができる。また、固定ローラを上下動により仕分手段の送出口の開口幅を調整すれば、紙葉を段差状に送出して大量に紙葉を送出することができるし、紙葉を段差状に送り出した後、徐々に漸減して一枚ずつ送出して所定仕分位置を検出し所定枚数毎に仕分けることが可能であり、縦積した紙葉を高速に仕分けることができる。
【００１４】
また、請求項３の発明では、前記排出搬送手段から送出される紙葉を所定枚数集積し、前記光学的検出手段による検出信号に基づいて、次工程へと搬送する集積搬送部を備えていることを特徴とする請求項１又は２に記載の紙葉類仕分装置であるので、集積搬送部に紙葉が所定枚数集積されると、光学的検出手段による検出信号（停止信号）が出力されるタイミングで集積搬送部を駆動させて次工程へと搬送した後、集積搬送部を停止し、次の紙葉が排出されるのを待ち受けて高速に仕分け処理することができる利点がある。
【００１５】
また、請求項４の発明では、連続番号を付与したり、又は指定枚数毎に合紙を挟み込んで縦積みした紙葉を所定枚数毎に仕分ける紙葉類仕分方法であって、
前記縦積みした紙葉を仕分手段から排出搬送手段に送出する際、該仕分手段の送出口から紙葉を段差状に搬送した後、該送出口の幅を狭めて該排出搬送手段に紙葉を一枚ずつ送出し、その排出搬送過程で光学的検出手段によって、紙葉の連続番号又は紙葉間に挟まれた合紙を検出して停止信号を出力し、該停止信号に基づいて前記仕分手段と前記排出搬送手段とを停止して紙葉類を所定枚数に仕分けることを特徴とする紙葉類仕分方法であるので、仕分け位置の連続番号又は合紙を検出する際は紙葉を一枚ずつ排出搬送手段に送出し検出を容易にし、それ以外では、紙葉を段差状に送出することで高速に仕分けることができる。
【００１６】
また、請求項５の発明では、前記仕分手段が、固定ローラと搬送ベルトによる前記送出搬送部と載置部とからなり、該固定ローラと該送出搬送部との隙間を送出口とし、該固定ローラを上下方向に昇降させることによって、該送出口の開口幅を調整して紙葉を段差状に送出したり、或いは一枚ずつ送出するようにしたことを特徴とする請求項４に記載の紙葉類仕分方法であるので、仕分け検出位置以外は紙葉を段差状に搬送し、単位時間当たりに送出される枚数を多くし、かつ仕分位置近傍では１枚ずつ搬送することによって、高速にしかも所定枚数に確実に仕分けることができる利点がある。
【発明を実施するための最良の形態】
【００１７】
以下、本発明の実施の形態について図面を参照し説明する。なお、図１は本発明に係る紙葉類仕分装置の一実施形態を示す概略図であり、図２はその搬送部の概略平面図であり、図３はその仕分部の概略平面図である。図５は本実施形態における仕分制御部を説明するためのフローチャートである。
【００１８】
本実施形態の紙葉類仕分装置は、紙葉に連続番号を付与したり、若しくは紙葉の指定枚数毎に合紙を挟み込んで縦積みした紙葉を所定枚数毎に仕分ける装置であり、図１乃至図５を参照して説明する。図１に示すように、紙葉類仕分装置１０は、縦積みした紙葉Ｗを送り出す仕分部２０と、仕分部２０から送り出される紙葉を排出する排出搬送部３０と、排出搬送部３０を通過する紙葉の仕分け位置を検出する光学的検出部４０と、仕分部２０及び排出搬送部３０等を制御する仕分制御装置５０と、所定枚数に仕分けした紙葉を次工程へと搬送する集積搬送部６０とからなる。また、仕分部２０と排出搬送部３０の搬送面は搬送方向に下り傾斜である。
【００１９】
仕分部２０は、隙間調整部２１と搬送ベルト２２ａによる送出搬送部２２と紙葉類を載置する載置部２３とからなる。隙間調整部２１は、紙葉の搬送面に対して概ね垂直で上下方向に昇降可能な固定又は逆転ローラ２１ａ（以下、固定ローラで説明する）と固定ローラ昇降部２４とからなり、固定ローラ２１ａはガイド軸２１ｂの下端部に設けられ、ガイド軸２１ｂはスプリング２１ｃにより付勢され、固定ローラ２１ａと送出搬送部２２との隙間を送出口とし、固定ローラ昇降部２４を作動させて固定ローラ２１ａを上下方向に昇降することによって、固定ローラ２１ａと搬送ベルト２２ａ（送出搬送部２２）とによる送出口の縦方向の開口幅を調整することができる。なお、上記逆転ローラ２１ａとは紙葉の搬送方向に対し逆方向にローラが回転するものである。固定ローラ２１ａはスプリング２１ｃにより上下動可能に設けられている。
【００２０】
固定ローラ昇降部２４は、図１及び図３に示すように、ステッピング・モータ２４ａとこのモータ２４ａの回転軸に連動するボールネジ２４ｂが設けられ、ボールネジ２４ｂに歯合するラック部２１ｅが隙間調整部２１に設けられ、このラック部２１ｅが上下方向に昇降することにより固定ローラ２１ａが昇降し、固定ローラ２１ａと送出搬送部２２とによる送出口の開口幅が調整される。なお、送出搬送部２２の搬送ベルト２２ａは、図２に示すように、駆動ベルト１３により駆動する。
【００２１】
載置部２３は、縦積みした紙葉Ｗを仕分部２０に載置する部分であり、縦積した紙葉Ｗの前方両側部を規制する両側ガイド部２３ａと、その後部を規制する後部側壁部２３ｂと、紙葉Ｗの前方への倒れ込みを防止する倒れ込み防止壁２３ｃと等が設けられ、縦積した紙葉Ｗはその最下部の紙葉が送出搬送部２２の搬送ベルト２２ａに接触している。搬送ベルト２２ａには適度な接触摩擦を有し、紙葉Ｗの表面と搬送ベルト２２ａの接触摩擦とにより前方へと送り出される。
【００２２】
仕分部２０では、固定ローラ２１ａと送出搬送部２２とにより形成される送出口の開口幅が紙葉１枚の厚さの幅であれば、紙葉１枚が排出搬送部３０に送り出され、固定ローラ２１ａを上昇させてその開口幅が紙葉の厚さの数倍であれば、その倍数に対応する数枚の紙葉が排出搬送部３０に送出される。紙葉が複数枚重なって送出される場合、紙葉は段差状にズレて積み重なった状態で排出搬送部３０に送出される。仕分部２０は紙葉を排出搬送部３０へと送出するためのゲートの役割をしている。
【００２３】
排出搬送部３０は、下搬送ベルト３０ａと上搬送ベルト３０ｂとからなり、仕分部２０から送出される紙葉を集積搬送部６０へと排出する装置であり、下搬送ベルト３０ａによる搬送面位置は固定され、上搬送ベルト３０ｂが排出される紙葉の厚さに応じて上下するように構成されている。また、下搬送ベルト３０ａを駆動する駆動軸３０ｃのプーリ３０ｄと駆動モータ１１の回転軸のプーリ１１ａとには伝動ベルト１２が掛け渡されている。また、駆動軸３０ｃに設けたプーリ３０ｅと送出搬送部２０の搬送ベルト２２ａを駆動する駆動軸に設けたプーリ２２ｂとには伝動ベルト１３が掛け渡され、下搬送ベルト３０ａが駆動するように構成されている。
【００２４】
なお、排出搬送部３０の下搬送ベルト３０ａの搬送速度は、プーリ３０ｄの直径に対して直径の小さいプーリ３０ｅを設け、かつプーリ３０ｅより直径の大きいプーリ２２ｂを送出搬送部２２に設けて排出搬送部３０と送出搬送部２２とを駆動させることによって、送出搬送部３０の搬送ベルト３０ａの搬送速度は搬送ベルト２２ａの搬送速度より速い速度で駆動するようにし、排出搬送部３０の送出された紙葉を速やかに排出するように構成されている。
【００２５】
集積搬送部６０は、排出搬送部３０から排出される紙葉を所定枚数集積して次工程へ排出する装置である。図２を参照して説明すると、排出搬送部３０から排出される紙葉を突き当てて揃える突当壁６０ａと紙葉の両側を揃える側壁６０ｂとが設けられ、所定枚数揃えられた紙葉Ｗを次工程へと搬送する搬送ベルト６０ｃとが設けられている。
【００２６】
光学的検出部４０は、排出搬送部３０の上部に設けられ、排出搬送部３０に送出される紙葉に付与された連続番号を撮影してその画像信号を仕分制御装置５０の仕分位置検出部５２に送出する。また、紙葉を仕分けするための合紙が挟まれている場合は、この合紙を光学的検出部４０が撮影して検出して合紙映像信号が仕分位置検出部５２に送出される。なお、光学的検出部４０は、連続番号を検出する場合、カメラで撮影してその画像を画像処理して所定番号を検出する。また、合紙を検出する場合には、カメラを用いても良いが、光電センサを用いて検出してもよい。
【００２７】
仕分制御装置５０は、図１，図４に示すように、仕分制御部５１と仕分位置検出部５２とから構成され、紙葉類仕分装置１０を駆動して載置部２３に縦積みされて載置された紙葉Ｗを仕分部２０から排出搬送部３０に送出し、集積搬送部６０へと排出し、所定枚数に仕分けて搬送するための制御装置である。仕分制御部５１は、固定ローラ位置制御部５１ａと搬送制御部５１ｂとから構成され、固定ローラ位置制御部５１ａにより仕分部２０の固定ローラ昇降部２４を制御して固定ローラ２１ａを上下方向に昇降させて送出口の開口幅を調整し、紙葉を段差状に送出した後、１枚ずつ送出するように制御する。また、搬送制御部５１ｂからの停止信号により、駆動モータ１１を停止して送出搬送部２２と下搬送ベルト３０ａとの駆動を停止したり、駆動信号により動作を開始させることができる。このような動作を繰り返して紙葉を高速に所定枚数毎に仕分けることができる。
【００２８】
また、仕分位置検出部５２には、排出搬送部３０を搬送する紙葉の連続番号又は合紙を光学的検出部４０が撮影して得られた画像信号が入力され、この画像信号から所定の連続番号又は合紙を検出して検出信号が出力され、この検出信号に基づいて搬送制御部５１ｂから停止信号とし、紙葉類仕分装置１０が制御されている。上述した駆動モータ１１はこの停止信号に基づいて停止し、仕分部２０の送出搬送部２２と排出搬送部３０（下搬送ベルト３０ａ）とを停止し、かつこの停止信号に基づいて、集積搬送部６を駆動している。
【００２９】
次に、本発明における一実施形態である紙葉類仕分方法について、図５の仕分制御プログラムを参照し説明する。
【００３０】
先ず、ステップＳ１にて、仕分けする紙葉類の種類を設定し、紙葉類の種類の設定により、紙葉類の厚さ、サイズ、及び仕分けをする際の検出対象が連続番号又は合紙の何れであるかが設定され、ステップＳ２に進む。ステップＳ１では紙葉類の種類の設定により紙葉を所定枚数に仕分けする駆動・停止のタイミングが設定される。
【００３１】
ステップＳ２では、仕分制御部５１が駆動スイッチによる駆動信号を取得してステップＳ３に進む。ステップＳ３では、固定ローラ位置制御部５１ａから駆動信号を送出して駆動モータ１１を作動させて、仕分部２０の送出搬送部２２（第１搬送ベルト）と排出搬送部３０の下搬送ベルト３０ａ（第２搬送ベルト）とが一定速度で駆動する。同時に、固定ローラ位置制御部５１ａは、駆動信号に基づいてステッピング・モータ２４ａを駆動させて固定ローラ２２ａを上昇させて送出口の開口幅を拡げる。紙葉は段差状に重なって、仕分部２０から排出搬送部３０へと送出され、ステップＳ４に進み、駆動信号からの経過時間が所定時間に達したか否かを判断する。ステップＳ４にてＮＯであれば所定時間に達していないと判断し、紙葉は段差状に送出され、ＹＥＳであれば、所定時間に達したものとしてステップＳ５に進み、固定ローラ位置制御部５１ａからの昇降制御信号に基づいて、固定ローラ２２ａを降下させて送出口の開口幅が狭められて送出口から紙葉が１枚ずつ仕分部２０から排出搬送部３０へと送出される。
【００３２】
ステップＳ６では、光学的検出部２４が排出搬送部３０を１枚ずつ搬送する紙葉の連続番号を撮影し、その画像データを位置検出部５２に送出し、所定連続番号が検出されると、仕分制御部５１に検出信号が入力され、ステップＳ７にて、検出信号に基づく停止信号が搬送制御部５１ｂから駆動モータ１１に入力されて仕分部２０の送出搬送部２２（第１の搬送ベルト）と排出搬送部３０の下搬送ベルト３０ａ（第２の搬送ベルト）とが動作を停止し、ステップＳ８に進む。ステップＳ８では、送出搬送部２２（第１の搬送ベルト）と下搬送ベルト３０ａ（第２の搬送ベルト）の停止と同時に、集積搬送部６０を駆動して集積した所定枚数の紙葉が次工程へと搬送される。続いて、ステップＳ９に進み、仕分制御動作を継続するか否をを判断し、継続する場合、ステップＳ３に戻り、同様な動作を繰り返し、紙葉が所定枚数毎に仕分ける。なお、紙葉を所定枚数毎に仕分ける仕分位置が合紙である場合であっても光学的検出部２４が合紙を検出することによって、同様な制御動作により、縦積みした紙葉を所定枚数毎に高速に仕分けることができる。
【産業上の利用可能性】
【００３３】
本発明の活用例としては、所定枚数毎に仕切る合紙が挟まれた紙葉類又は連続番号が付与された有価証券や宝くじ等を所定枚数毎に仕分ける紙葉類仕分装置に利用することができる。
【図面の簡単な説明】
【００３４】
【図１】本発明に係る紙葉類仕分装置の一実施形態を示す概略図である。
【図２】本実施形態の紙葉の送出と排出部及び仕分け後の搬送部を示す概略平面図である。
【図３】本実施形態の紙葉の載置部を示す概略平面図である。
【図４】本実施形態の仕分制御装置のブロック図である。
【図５】本実施形態の仕分制御フローを示す図である。
【図６】（ａ）〜（ｃ）は、従来の紙葉を１枚ずつ搬送する説明図である。
【図７】従来の有価証券の取出装置を示す概略図である。
【符号の説明】
【００３５】
１０  紙葉類仕分装置
１１  駆動モータ
１２  伝動ベルト
２０  仕分部
２１  隙間調整部
２１ａ  固定又は逆転ローラ
２１ｂ  ガイド軸
２１ｃ  スプリング
２１ｅ  ラック部
２２  送出搬送部
２２ａ  搬送ベルト
２２ｂ  プーリ
２３  載置部
２３ａ  両側ガイド部
２３ｂ  後部側壁部
２３ｃ  倒れ込み防止壁
２４  固定ローラ昇降部
２４ａ  ステッピング・モータ
２４ｂ  ボールネジ
３０  排出搬送部
３０ａ  下搬送ベルト
３０ｂ  上搬送ベルト
３０ｃ  駆動軸
４０  光学的検出部
５０  仕分制御装置
５１  仕分制御部
５１ａ  固定ローラ位置制御部
５１ｂ  搬送制御部
５２  仕分位置検出部
６０  集積搬送部
６０ａ  突当壁
６０ｂ  側壁
６０ｃ  搬送ベルト
【図１】
2008114968.tif 000003
【図２】
2008114968.tif 000004
【図３】
2008114968.tif 000005
【図４】
2008114968.tif 000006
【図５】
2008114968.tif 000007
【図６】
2008114968.tif 000008
【図７】
2008114968.tif 000009